(57)【要約】ニードルガイドカム（４５）は、セレクトジャックの選択用バットに作用し、突出部（４５ａ）でＢポジションまで、強制的に押し下げる。第１の選針アクチュエータ（５０）で選針されていると、セレクタは上げ用セレクタガイドカム（４８）の上げ部（４８ｂ）でセレクトジャックのＨポジションに対応する位置まで押し上げられ、セレクトジャックをＨポジションまで押し上げる。ニードルガイドカム（４５）の突出部（４５ａ）と、上げ用セレクタガイドカム（４８）の２つの上げ部（４８ａ，４８ｂ）とで、出没式のセレクトジャック下げカムの機能を実現し、可動部分を廃止することができる。
2007074944.tif 000002
【特許請求の範囲】
【請求項１】
針床の長手方向に沿って往復走行するキャリッジに搭載され、各編針の駆動用バットが編成用カムシステムの作用を受けるか否かの出没状態制御用のセレクトジャックを、非選択の基底位置、第１の選針アクチュエータによる選択での中間位置、および第２の選針アクチュエータによる選択での進出位置の３ポジションで順次歯口側に上がるように位置決めして切換える横編機の選針装置において、
セレクトジャックに設けられる選択用のバットに作用し、第１の選針アクチュエータと第２の選針アクチュエータとの間で、セレクトジャックを基底位置に案内する突出部を備えるニードルガイドカムと、
セレクタを、第１の選針アクチュエータでの選針を受けるように基底位置まで案内する第１の下げ部、および第２の選針アクチュエータでの選針を受けるように基底位置まで案内する第２の下げ部を有する下げ用セレクタガイドカムと、
第１の選針アクチュエータとニードルガイドカムの突出部との間で、第１の選針アクチュエータによって選針されるセレクタのみを中間位置まで案内する第１の上げ部、およびニードルガイドカムの突出部と下げ用セレクタガイドカムの第２の下げ部との間で、第１の選針アクチュエータで選針されているセレクタのみを中間位置まで案内する第２の上げ部とを有する上げ用セレクタガイドカムとを、
含むことを特徴とする横編機の選針装置。
【請求項２】
キャリッジに搭載される編成用カムシステムの端部の選針アクチュエータ、下げ用セレクタガイドカムの下げ部および上げ用セレクタガイドカムの上げ部を、該端部が後行側となる際には前記第１の選針アクチュエータ、前記第１の下げ部および前記第１の上げ部としてそれぞれ機能させ、該端部が先行側となる際には前記第２の選針アクチュエータ、前記第２の下げ部および前記第２の上げ部としてそれぞれ機能させることを特徴とする請求項１記載の横編機の選針装置。
【請求項３】
前記セレクトジャックが前記基底位置に位置決めされるときに前記選択用バットを没状態に押圧するプレッサを、前記下げ用セレクタガイドカムの前記第２の下げ部から開始させることを特徴とする請求項１または２記載の横編機の選針装置。
【請求項４】
前記プレッサの押圧範囲内に、ステッチカムが配置されることを特徴とする請求項３記載の横編機の選針装置。
【発明の詳細な説明】
【技術分野】
【０００１】
本発明は、針床に並設される多数の編針に対し、編成動作を個別に選択する横編機の選針装置に関する。
【背景技術】
【０００２】
従来から、横編機では、針床に並設される多数の針溝に収容されて摺動変位可能な編針を、針床の長手方向に沿って往復移動するキャリッジに搭載する選針装置で選択し、編成用カムシステムで駆動して、編成動作を行わせている。編針の編成動作は、ニット、タック、ミスが基本となる。ニットでは、編針の先端のフックを歯口に進出させて、それまで保持している編目ループは、フックからクリアさせる。タックでは、それまで保持している編目ループをフックからクリアさせない程度に歯口に進出させる。ミスでは、フックを歯口に進出させない。また、歯口を挟んで、前後に針床を対峙させる横編機では、針床間で編目ループを移動させる目移しの動作も可能であり、キャリッジには、目移し用カムシステムも搭載される。
図４は、編針１の概略的な構成を示す。編針１はべら針であり、ニードル２の先端側が歯口に進退して編成動作を行う。ニードル２の先端側には、編目ループを形成するためのフック３と、フック３を開閉するラッチ４とが設けられる。ニードル２の基端側には、ニードルジャック５が連結されている。ニードル２の中間部分の側面には、目移し時に受け渡す編目ループを保持する目移し片６も設けられる。ニードルジャック５には、編成や編目受けなどの動作時に駆動される編成動作用バット７および目移し動作用バット８が設けられる。ニードルジャック５の基端側は、セレクトジャック９の押圧を受ける。セレクトジャック９の出没は、選択用バット１０への押圧の有無で制御される。選択用バット１０への押圧は、選択用バット１０の軌跡に配置されるプレッサによって行われる。セレクトジャック９は、セレクタ１１の作用で歯口側に押し上げられる。セレクタ１１は、先端側にセレクタ１１を歯口から遠ざかるように押し下げる下げ用バット１２と、基端側にセレクタ１１を歯口に向かって押し上げる上げ用バット１３とを有している。下げ用バット１２と上げ用バット１３との間には、複数、たとえば図示のような８つの位置のうちの１つの選針用バット１４が設けられる。選針用バット１４の位置は、隣接する編針１同士で順次異なるように設定される。
図５は、図４に示す編針１を収容する針溝１５の構成を概略的に示す。キャリッジが長手方向に沿って往復走行する針床１６には、一定のピッチでニードルプレート１７が立設される。針溝１５は、ニードルプレート１７間に形成され、針溝１５に各編針１が収容される。針床１６の先端側は、歯口１８に臨む。歯口１８には、編針１のニードル２とともに、可動シンカ１９が進退する。可動シンカ１９は、ばね１９ａで歯口１８に進出するように付勢され、編針１で編成された編地を歯口１８の下方に押し下げるなどの作用を行う。
図では、セレクトジャック１０およびセレクタ１１は、歯口１８から最も離れている基底位置にあり、セレクタ１１は選針可能な状態で、針溝１５内で浮上している。セレクタ１１の上げ用バット１３が歯口１８側に押し上げられると、セレクトジャック９も歯口１８側に押し上げられるけれども、セレクタ１１の下げ用バット１２を歯口１８から離れるように押し下げられても、セレクトジャック９は針溝１５内の摺動抵抗で押し上げられた位置を保つ。セレクタ１１の下部には凹所１１ａが設けられ、針溝１５内の貫通材１５ａとの間には隙間がある。セレクタ１１の選択用バット１４が押圧されると、凹所１１ａが貫通材１５ａに接触するまで、セレクタ１１の基端側は針溝１５内に沈み、上げ用バット１３への押し上げが作用しなくなる。針溝１５内に沈んだ状態のセレクタ１１は、基端側の下部１１ｂを押し上げて針溝１５内に浮上させ、選針可能な状態に戻すことができる。
図６は、キャリッジに搭載され、図４の編針１を選針して、選択的に編成や目移しの動作を行わせるカムシステム２０の例を示す。カムシステム２０は、キャリッジ１基にたとえば２組搭載されている。１組のカムシステム２０は、渡し受け両用目移しカム２１、固定ニードルレイジングカム２２、可動ニードルレイジングカム２３、ステッチカム２４、ニードルガイドカム２５、セレクトジャック下げカム２６、下げ用セレクタガイドカム２７、上げ用セレクタガイドカム２８およびセレクタレイジングカム２９を含む。カムシステム２０には、選針アクチュエータ３０、タックプレッサ３１、ハーフプレッサ３２、固定プレッサ３３およびセレクタ浮上カム３４も含まれる。以下、キャリッジの中央線２０ａで分けて、各カム等が右側のカムシステム２０か左側のカムシステム２０のいずれに属するかが決定されるものとする。ただし、後行側のカムシステム２０に対する選針の機能は、先行側のカムシステム２０に属するカム等でも分担される。
渡し受け両用目移しカム２１は、図４に示すニードルジャック５の目移し動作用バット８に作用し、固定ニードルレイジングカム２２、可動ニードルレイジングカム２３、ステッチカム２４は、ニードルジャック５の編成動作用バット７に作用する。ステッチカム２４は、度山カムとも呼ばれ、移動して編針１を歯口１８から引込む量を調整することができる。渡し受け両用目移しカム２１と可動ニードルレイジングカム２３とは、キャリッジの地板から交互に出没するように切換えられる。セレクトジャック下げカム２６は、セレクトジャック９の選択用バット１０を歯口１８側の側方から押圧し、強制的に基底位置であるＢポジションまで基端側に押し下げる。下げ用セレクタガイドカム２７は、選針アクチュエータ３０側に突出する下げ部２７ａ，２７ｂで、セレクタ１１の下げ用バット１２を押し下げ、選針アクチュエータ３０の位置までに、セレクタ１１が基底位置に下がるように案内する。選針されたセレクタ１１は、上げ用セレクタガイドカム２８から歯口１８側に突出する上げ部２８ａでセレクトジャック９を中間位置であるＨポジションまで押し上げ、またセレクタレイジングカム２９でセレクトジャック９を進出位置であるＡポジションまで押し上げることができる。
各選針アクチュエータ３０による選針は、セレクタ１１の選針用バット１４を針溝１５内に沈めないことで行う。いったんセレクタ１１が非選針となって針溝１５内に沈むと、セレクタ１１は上げ用セレクタガイドカム２８、セレクタレイジングカム２９および選針アクチュエータ３０の作用を受けなくなる。セレクタ１１の基端側の下部１１ｂがセレクタ浮上カム３４の位置まで移動すると、針溝１５に沈んでいる状態のセレクタ１１は浮上し、上げ用セレクタガイドカム２８、セレクタレイジングカム２９および選針アクチュエータ３０の作用を受けるようになる。
図７Ａは、図６の右側のカムシステム２０に対するキャリッジ左行時の選針での位置の遷移状態を示し、図７Ｂは、セレクタ１１の選針状態を示す。図６の右側に示すカムシステム２０が後行側となる場合、すなわち、カムシステム２０を搭載するキャリッジが左方に走行する場合を想定する。右側のカムシステム２０で編成または目移し動作を行わせる編針１の選針は、左側のカムシステム２０の右側と、右側のカムシステム２０の左側とで、２段階の選針アクチュエータ３０によって行われる。左側のカムシステム２０の作用を受けた編針１は、セレクトジャック９がＡ，Ｈ，Ｂのいずれのポジションであっても、左側のカムシステム２０の右側のセレクトジャック下げカム２５で、強制的にＢポジションまで下げられてから、左側のカムシステム２０の右側の選針アクチュエータ３０による選針を受ける。この１段目の選針アクチュエータ３０では、２段階の選針後にセレクトジャック９をＡまたはＨポジションとする場合に選針し、Ｂポジションとする場合には非選針として、セレクタ１１を針溝１５内に沈める。
なお、セレクタ１１は、左側のカムシステム２０に配置される下げ用セレクタガイドカム２７の下げ部２７ａでセレクトジャック９のＢポジションに対応する位置まで押し下げられて、選針を受ける。編針１が選針されると、上げ用セレクタガイドカム２８の上げ部２８ａで、セレクタ１１がセレクトジャック９のＢポジションに対応する位置からＨポジションに対応する位置に押し上げられるために、セレクトジャック９もＨポジションに押し上げられる。選針されないセレクタ１１は、上げ部２８ａおよびセレクタレイジングカム２９を、セレクトジャック９のＢポジションに対応する位置を保って通過するので、セレクトジャック９もＢポジションを保つ。
上げ部２８ａでセレクトジャック９のＨポジションに対応する位置まで押し上げられたセレクタ１１は、セレクタガイドカム２７で左右のカムシステム２０の中間に配置される下げ部２７ｂによって、セレクトジャック９のＢポジションに対応する位置まで押し下げられる。上げ部２８ａでＨポジションまで押し上げられたセレクトジャック９は、Ｈポジションを保つ。
セレクタ１１は、右側のカムシステム２０の左側の選針アクチュエータ３０で選針されると、セレクタレイジングカム２９の作用を受けて、セレクトジャック９のＡポジションに対応する位置まで押し上げられ、セレクトジャック９もＡポジションまで押し上げられる。セレクタ１１が右側のカムシステム２０の左側の選針アクチュエータ３０では選針されないと、セレクタ１１はセレクトジャック９のＢポジションに対応する位置でセレクタレイジングカム２９を通過し、セレクトジャック９はＨポジションを保つ。すなわち、２段目の選針アクチュエータ３０では、セレクトジャック９をＡポジションとする場合に選針し、セレクトジャック９をＨポジションとする場合に非選針として、セレクタ１１を針溝１５内に沈める。針溝１５内に沈められたセレクタ１１は、セレクタ浮上カム３４がセレクタ１１の基端側の下部１１ｂを針溝１５の底部側から押し上げると、針溝１５内に浮上する。
図６に示すように、セレクトジャック９の選択用バット１０がＨのポジションとＢのポジションとで通過する軌跡には、タックプレッサ３１およびハーフプレッサ３２と、固定プレッサ３３とが配置される。これらのいずれかのプレッサが選択用バット１０を押圧すると、セレクトジャック９は針溝１５内に沈み、ニードルジャック５の基端側も針溝１５内に沈んで、編成動作用バット７が固定ニードルレイジングカム２２および可動ニードルレイジングカム２３の作用を受けなくなる。タックプレッサ３１およびハーフプレッサ３２は切換え式であり、Ｈポジションに選針される編針１に対し、タックまたは編目受けの動作を切換えることができる。カムシステム２０間の配置ピッチをＰとすると、固定プレッサ３３は、一対のセレクトジャック下げカム２６を配置する範囲Ｗ１外に設けられる。
なお、右側のカムシステム２０の左側のセレクトジャック下げカム２６は、選針されるセレクトジャック９の選択用バット１０を通過させるために、キャリッジの地板から突出しない没状態となる。また、左側のカムシステム２０の右側のセレクタレイジングカム２９も没状態となる。すなわち、セレクトジャック下げカム２６およびセレクタレイジングカム２９は、キャリッジの走行方向に応じて出没が切換えられる。出没の切換の駆動は、たとえばキャリッジに搭載するモータで行ったり、特開平５−１５６５５３号公報の０００２段落に記載されているようなマグネット吸着を利用して行っている。ただし、特開平５−１５６５５３号公報では、編針１のようなべら針ではなく、針本体のフックを針本体に対して相対的に摺動変位するスライダで開閉する複合針を用いている。
図６に示すような従来のカムシステム２０では、Ａ，Ｈ，Ｂの３ポジションの位置決めを、セレクトジャック９が基底位置であるＢポジションにリセットされてから行うように、ニードルガイドカム２５の下側に一対のセレクトジャック下げカム２６を配置している。ただし、後行側のセレクトジャック下げカム２６は、ＨポジションやＡポジションに選針されたセレクトジャック９の選択用バット１０が通過する軌跡に影響を与えないように、没状態とする必要がある。
しかしながら、出没式のセレクトジャック下げカム２６のような可動部分を設けると、選針装置の製造コストが上昇し、取扱いやメンテナンスの手間もかかる。
【発明の開示】
【０００３】
本発明の目的は、出没式のセレクトジャック下げカムのような可動部分を廃止することができる横編機の選針装置を提供することである。
本発明は、針床の長手方向に沿って往復走行するキャリッジに搭載され、各編針の駆動用バットが編成用カムシステムの作用を受けるか否かの出没状態制御用のセレクトジャックを、非選択の基底位置、第１の選針アクチュエータによる選択での中間位置、および第２の選針アクチュエータによる選択での進出位置の３ポジションで順次歯口側に上がるように位置決めして切換える横編機の選針装置において、
セレクトジャックに設けられる選択用のバットに作用し、第１の選針アクチュエータと第２の選針アクチュエータとの間で、セレクトジャックを基底位置に案内する突出部を備えるニードルガイドカムと、
セレクタを、第１の選針アクチュエータでの選針を受けるように基底位置まで案内する第１の下げ部、および第２の選針アクチュエータでの選針を受けるように基底位置まで案内する第２の下げ部を有する下げ用セレクタガイドカムと、
第１の選針アクチュエータとニードルガイドカムの突出部との間で、第１の選針アクチュエータによって選針されるセレクタのみを中間位置まで案内する第１の上げ部、およびニードルガイドカムの突出部と下げ用セレクタガイドカムの第２の下げ部との間で、第１の選針アクチュエータで選針されているセレクタのみを中間位置まで案内する第２の上げ部とを有する上げ用セレクタガイドカムとを、
含むことを特徴とする横編機の選針装置である。
また本発明で、キャリッジに搭載される編成用カムシステムの端部の選針アクチュエータ、下げ用セレクタガイドカムの下げ部および上げ用セレクタガイドカムの上げ部を、該端部が後行側となる際には前記第１の選針アクチュエータ、前記第１の下げ部および前記第１の上げ部としてそれぞれ機能させ、該端部が先行側となる際には前記第２の選針アクチュエータ、前記第２の下げ部および前記第２の上げ部としてそれぞれ機能させることを特徴とする。
また本発明で、前記セレクトジャックが前記基底位置に位置決めされるときに前記選択用バットを没状態に押圧するプレッサを、前記下げ用セレクタガイドカムの前記第２の下げ部から開始させることを特徴とする。
また本発明で、前記プレッサの押圧範囲内に、ステッチカムが配置されることを特徴とする。
本発明によれば、セレクタを第１の選針アクチュエータで選針すれば、ニードルガイドカムの突出部でセレクトジャックが基底位置まで案内される際に、セレクタも基底位置まで下げられても、上げ用セレクタガイドカムの第２の上げ部で中間位置まで上げることができるので、突出部で基底位置まで下げられるセレクトジャックを中間位置まで上げることができる。また、第１の選針アクチュエータで非選針となるセレクタは、上げ用セレクタガイドカムの第２の上げ部では上げられないので、セレクトジャックを突出部で下げられた基底位置に保つようにすることができる。上げ用セレクタガイドカムの第１の上げ部でのセレクタへの案内は、位置決めには影響を与えない。キャリッジの走行方向が反転すれば、上げ用セレクタガイドカムの第１の上げ部と第２の上げ部とは機能が交替する。２つの上げ部を固定しておけば、キャリッジの走行方向に応じて、第２の上げ部として機能する側が第１の選針アクチュエータの選針結果を反映させることができるので、出没式のセレクトジャック下げカムの機能を、第１および第２の選針アクチュエータ間に配置する固定式の突出部および上げ用セレクタガイドカムの第１および第２の上げ部で実現することができる。出没式のセレクトジャック下げカムのような可動部分を廃止することができるので、コスト低減や動作の安定性の向上を図ることができる。
また本発明によれば、キャリッジに搭載される編成用カムシステムの端部の選針アクチュエータ、下げ用セレクタガイドカムの下げ部、および上げ用セレクタガイドカムの上げ部を、その端部が後行側となる際には第１の選針アクチュエータ、第１の下げ部、および第１の上げ部としてそれぞれ機能させることができる。また、編成用カムシステムの端部の選針アクチュエータ、下げ用セレクタガイドカムの下げ部、および上げ用セレクタガイドカムの上げ部を、キャリッジの走行方向が反転されてその端部が先行側となる際には、第２の選針アクチュエータ、第２の下げ部、および第２の上げ部としてそれぞれ機能させるので、キャリッジの端部に必要な幅も減少させることができる。
また本発明によれば、第１の選針アクチュエータの選針結果は、上げ用セレクタガイドカムの第２の上げ部に反映される。セレクトジャックを基底位置に位置決めする際には、第１の選針アクチュエータで非選針とするので、第２の上げ部ではセレクトジャックの位置が基底位置を保つようにすることができる。セレクトジャックの選択用バットに作用するプレッサを、第２の上げ部に続く、下げ用セレクタガイドカムの第２の下げ部から開始させるので、選針部のみに必要な部分の幅を減少させて、編成部分の幅を従来よりも広げて編成の安定化を図ったり、編成部分の幅は従来と同等としてキャリッジの小型化を図ったりすることができる。
また本発明によれば、セレクトジャックが基底位置に位置決めされるときに選択用バットを没状態に押圧するプレッサの押圧範囲内にステッチカムが配置されるので、編成に関与しないようにセレクトジャックをプレッサで押圧しておく編針の編成動作用バットを、ステッチカムと干渉しないで通過させることができる。
【図面の簡単な説明】
【０００４】
図１は、本発明の実施の一形態としての横編機の選針装置３９を含むカムシステム４０の概略的な構成を示す平面図である。
図２Ａは、図１の右側のカムシステム４０に対するキャリッジ左行時の選針での位置の遷移状態を示す図である。
図２Ｂは、図２Ａに対応するセレクタ１１の選針状態を示す図である。
図３Ａは、図１の右側のカムシステム４０について、キャリッジ左行時の選針での位置の遷移状態を示す図である。
図３Ｂは、図１の右側のカムシステム４０について、キャリッジ右行時の選針での位置の繊維状態を示す図である。
図４は、従来からの編針１の概略的な構成を示す側面図である。
図５は、図４に示す編針１を収容する針溝１５の構成を概略的に示す側面断面図である。
図６は、従来からのカムシステム２０の概略的な構成を示す平面図である。
図７Ａは、図６の右側のカムシステム２０に対するキャリッジ左行時の選針での位置の遷移状態を示す図である。
図７Ｂは、図７Ａに対応するセレクタ１１の選針状態を示す図である。
【発明を実施するための最良の形態】
【０００５】
図１は、本発明の実施の一形態としての横編機の選針装置３９を含むカムシステム４０の概略的な構成を示す。このカムシステム４０は、編成や目移しに関して、図６に示すカムシステム２０と同等に、図４に示す編針１に作用する機能を有する。カムシステム４０は、カムシステム２０と同様に、キャリッジ１基にたとえば２組搭載されている。中央線４０ａで分けられる１組のカムシステム４０は、渡し受け両用目移しカム４１、固定ニードルレイジングカム４２、可動ニードルレイジングカム４３、ステッチカム４４、ニードルガイドカム４５、下げ用セレクタガイドカム４７、上げ用セレクタガイドカム４８、セレクタレイジングカム４９、選針アクチュエータ５０、タックプレッサ５１、ハーフプレッサ５２、固定プレッサ５３およびセレクタ浮上カム５４を含む。中央の歯口側に設けられる渡し受け両用目移しカム４１と可動ニードルレイジングカム４３とは、いずれか一方がキャリッジの地板から突出すると、他方は突出しないように、交互に切換えられる。度山カムであるステッチカム４４は、後行側が編針１を歯口から引込む量である度目を調整するために、移動させることができる。ただし、図６に示すような出没式のセレクトジャック下げカム２５に相当するものは含まれず、その機能は、下げ用ニードルガイドカム４５の下側中央から突出する突出部４５ａによって実現される。
横編機の選針装置３９としては、たとえばキャリッジの左行時には、右側のカムシステム４０に対し、左側のカムシステム４０の右側の選針アクチュエータ５０が第１の選針アクチュエータとなり、右側のカムシステム４０の左側の選針アクチュエータ５０が第２の選針アクチュエータとなる。また、キャリッジの右行時には、右側のカムシステム４０の右側の選針アクチュエータ５０が第２の選針アクチュエータとなる。同一の選針アクチュエータ５０は、右行の反転前の左行時に第１の選針アクチュエータとして機能する。このような選針アクチュエータ５０の動作は、図６のカムシステム２０と同様であるけれども、横編機の選針装置３９では、突出部４５ａを有するニードルガイドカム４５と、２つの上げ部４８ａ，４８ｂを有する上げ用セレクタガイドカム４８が図６のニードルガイドカム２５および上げ用セレクタガイドカム２８と異なっている。
ニードルガイドカム４５は、図６のニードルガイドカム２５と同様に、図４のセレクトジャック９の選択用バット１０に作用し、進出位置であるＡポジションであれば、中間位置であるＨポジションまで、強制的に基端側に押し下げる。セレクタ１１は、下げ用セレクタガイドカム４７の下げ部４７ａでセレクトジャック９のＢポジションに対応する位置まで押し下げられる。すなわち、第１の選針アクチュエータでは、セレクトジャック９がＨポジションまたはＢポジションの状態で選針が行われる。ニードルガイドカム４５の突出部４５ａは、セレクトジャック９の選択用バット１０に作用して、Ｂポジションまで強制的に押し下げる。ただし、突出部４５ａと第２の選針アクチュエータとの間には、上げ用セレクタガイドカム４８の第２の上げ部４８ｂが設けられており、第１の選針アクチュエータで選針状態となっているセレクタ１１は、セレクトジャック９のＢポジションに対応する位置からＨポジションに対応する位置まで押し上げられる。したがって、セレクトジャック９もＨポジションまで押し上げられる。
なお、第１の選針アクチュエータとニードルガイドカム４５の突出部４５ａとの間に、上げ用セレクタガイドカム４８の第１の上げ部４８ａが設けられ、第１の選針アクチュエータで選針状態となるセレクトジャック９のＢポジションに対応する位置のセレクタ１１をセレクトジャック９のＨポジションに対応する位置まで押し上げる。セレクタ１１がセレクトジャック９のＨポジションに対応する位置まで押し上げられ、セレクトジャック９がＨポジションまで押し上げられても、ニードルガイドカム４５の突出部４５ａでセレクトジャック９は再びセレクトジャック９のＢポジションに対応する位置まで押し下げられるので、第１の上げ部４８ａとしての押し上げ機能は、無効となる。しかしながら、キャリッジの左行時の第１の上げ部４８ａは、キャリッジの右行時には第２の上げ部となり、ニードルガイドカム４５の突出部４５ａでセレクトジャック９のＢポジションに対応する位置まで押し下げられたセレクタ１１をセレクトジャック９のＨポジションに対応する位置まで押し上げる有効な作用を行う。すなわち、第１の上げ部４８ａとしての作用は無効でも、キャリッジの走行方向が反転した後での第２の上げ部としての作用は有効となり、ニードルガイドカム４５に出没式のセレクトジャック下げカムを設けることなく、固定式の突出部４５ａで有効な機能を実現することができる。
セレクタレイジングカム４９は、第２の選針アクチュエータ５０で選針した状態のセレクタ１１の上げ用バット１３に作用し、セレクタ１１をセレクトジャック９のＡポジションに対応する位置まで押し上げる。セレクタ１１がセレクトジャック９のＡポジションに対応する位置まで押し上げられると、セレクトジャック９もＡポジションまで押し上げられる。
セレクトジャック９の選択用バット１０がＡ，Ｈ，Ｂの３つのポジションのうち、ＨのポジションとＢのポジションとで通過する軌跡には、タックプレッサ５１およびハーフプレッサ５２と、固定プレッサ５３とが配置される。これらのいずれかのプレッサが選択用バット１０を押圧すると、セレクトジャック９は図５の針溝１５内に沈む。セレクトジャック９の先端側はニードルジャック５の基端側を上方から押圧するので、ニードルジャック５の基端側も針溝１５内に沈んで、編成動作用バット７が固定ニードルレイジングカム４２および可動ニードルレイジングカム４３の作用を受けなくなる。タックプレッサ５１およびハーフプレッサ５２は切換え式であり、Ｈポジションへ選針した編針１でタックまたは編目受けの動作を切換えることができる。
セレクタ１１の下げ用バット１２と上げ用バット１３とは、下げ用セレクタガイドカム４７と上げ用セレクタガイドカム４８とで挟むようにして案内する。ただし、セレクタレイジングカム４９が設けられている部分に対向する下げ用セレクタガイドカム４７には、セレクタレイジングカム４９の突出形状に対応する凹部形状が設けられている。なお、セレクタレイジングカム４９は、図６のセレクタレイジングカム２９と同様に、出没式である。
選針アクチュエータ５０は、選針しない編針１のセレクタ１１に設けられる選針用バット１４を押圧し、上げ用バット１３の針溝１５からの突出量を減少させる。上げ用バット１３の突出量が減少すると、セレクタ１１は、上げ用セレクタガイドカム４８や、セレクタレイジングカム４９の作用を受けないようになる。
各カムシステム４０の固定プレッサ５３の端部は、ニードルガイドカム４５の突出部４５ａ付近まで配置することができる。ただし、ＨポジションやＡポジションに移行するセレクトジャック９の選択用バット１０が通る通路を残す必要がある。すなわち、横編機の選針装置３９では、選針部のうちで、固定プレッサ５３を配置することができない部分の幅Ｗ２をニードルガイドカム４５の突出部４５ａ付近に留めることができる。図６の幅Ｗ１に比較して、図１の幅Ｗ２は充分に小さくすることができる。したがって、カムシステム４０の配置ピッチＰを図６のカムシステム２０の配置ピッチＰと同一にすれば、ステッチカム４４の範囲を広くして、編針１の編成動作での給糸の安定性などを向上させることができる。
図２Ａ，Ｂは、図７Ａ，Ｂに対応して、図２Ａで図１の右側のカムシステム４０に対するキャリッジ左行時の選針での位置の遷移状態を示し、図２Ｂでセレクタ１１の選針状態を示す。前述のように、先行する左側のカムシステム４０での編成時にセレクトジャック９の位置が進出位置のＡポジションであれば、中間のニードルガイドカム４５の左側の部分で、中間位置のＨポジションまで強制的に押し下げられる。セレクタ１１は、下げ用セレクタガイドカム４７で左側のカムシステム４０に配置されている下げ部４７ａでセレクトジャック９のＢポジションに対応する位置まで押し下げられており、第１の選針アクチュエータとなる左側のカムシステム４０の右側の選針アクチュエータ５０による選針を受ける。セレクトジャック９が先行時にＨポジションやＢポジションの場合、セレクトジャック９は位置の変更は受けない。第１の選針アクチュエータで選針を受けたセレクタ１１は、上げ用セレクタガイドカム４８の第１の上げ部４８ａでセレクトジャック９のＨポジションに対応する位置まで押し上げられる。選針を受けなければ、図５に示すセレクタ１１の選針用バット１４が針溝１５内に沈められ、上げ用バット１３も針溝１５内に沈むので、上げ用バット１３が第１の上げ部４８ａの押し上げ作用を受けずに、セレクトジャック９のＢポジションに対応する位置に留まる。Ｈポジションのセレクトジャック９は、ニードルガイドカム４５の突出部４５ａで強制的にＢポジションまで押し下げられる。セレクタ１１もセレクトジャック９のＢポジションに対応する位置まで押し下げられる。
セレクタ１１が上げ用セレクタガイドカム４８の第２の上げ部４８ｂの位置に達すると、第２の上げ部４８ｂは、第１の選針アクチュエータで選針状態となっているセレクタ１１を、セレクトジャック９のＢポジションに対応する位置からセレクトジャック９のＨポジションに対応する位置まで押し上げる。非選針状態のセレクタ１１は、上げ部４８ｂの作用を受けず、セレクトジャック９のＢポジションに対応する位置に留まる。セレクトジャック９のＨポジションに対応する位置に押し上げられたセレクタ１１は、セレクトジャック９をＨポジションに押し上げた後、下げ用セレクタガイドカム４７の第２の下げ部４７ｂでセレクトジャック９のＢポジションに対応する位置まで押し下げられ、第２の選針アクチュエータとなる右側のカムシステム４０の左側の選針アクチュエータ５０による選針を受ける。この選針用アクチュエータ５０では、編針１をＡポジションとする場合に選針し、選針されるとセレクタ１１の上げ用バット１３がセレクタレイジングカム４９の作用でセレクトジャック９のＡポジションに対応する位置に押し上げられるので、セレクトジャック９もＡポジションまで押し上げられる。図１の右側に示すカムシステム４０が先行側となる場合、左側のカムシステム４０は、前述の右側のカムシステム４０と同様に動作する。
以上のように、針床１６の長手方向に沿って往復走行するキャリッジに搭載される横編機の選針装置３９では、各編針１の駆動用バットである編成動作用バット７が編成用カムシステム４０の作用を受けるか否かの出没状態制御用のセレクトジャック９を、第１および第２の選針アクチュエータ５０によるセレクタ１１の２段階の選択で、基底位置であるＢポジション、中間位置であるＨポジションおよび進出位置であるＡポジションの３ポジションに位置決めして切換える。選針装置３９には、ニードルガイドカム４５と下げ用セレクタガイドカム４７と上げ用セレクタガイドカム４８とが含まれる。ニードルガイドカム４５は、セレクトジャック９に設けられる選針用のバットである選択用バット１０に作用し、第１の選針アクチュエータ５０に達するまでに、Ａポジションのセレクトジャック９をＨポジションまで変位させ、第１の選針アクチュエータ５０と第２の選針アクチュエータ５０との間に、Ｈポジションのセレクトジャック９をＢポジションまで変位させるように案内する突出部４５ａを備える。このようなニードルガイドカム４５で、Ａポジションにある編針１も、Ｂポジションまで下げることができる。
下げ用セレクタガイドカム４７は、第１の下げ部４７ａと第２の下げ部４７ｂとを有する。第１の下げ部４７ａは、セレクタ１１を、第１の選針アクチュエータ５０での選針を受けるように、セレクトジャック９のＢポジションに対応する位置まで押し下げる。第２の下げ部４７ｂは、セレクタ１１を、第２の選針アクチュエータ５０での選針を受けるように、セレクトジャック９のＢポジションに対応する位置まで押し下げる。
上げ用セレクタガイドカム４８は、第１の選針アクチュエータ５０による選針状態でセレクトジャック９のＢポジションに対応する位置にあるセレクタ１１を、ニードルガイドカム４５の突出部４５ａに達するまでにセレクトジャック９のＨポジションに対応する位置まで変位させる第１の上げ部４８ａ、およびニードルガイドカム４５の突出部４５ａでセレクトジャック９のＢポジションに対応する位置まで変位させられた選択状態のセレクタ１１を、第２の選針アクチュエータ５０に達するまでにセレクトジャック９のＨポジションに対応する位置まで変位させる第２の上げ部４８ｂを有する。第１の選針アクチュエータ５０で選針状態にすれば、ニードルガイドカム４５の突出部４５ａでセレクトジャック９がＢポジションまで下げられても、上げ用セレクタガイドカム４８の第２の上げ部４８ｂでセレクタ１１をセレクトジャック９のＨポジションに対応する位置まで進出させることができるので、第２の選針アクチュエータ５０での選針を行わなければ、セレクトジャック９に対してＨポジションの位置決めを行うことができる。第２の選針アクチュエータで選針を行えば、セレクタ１１をさらにセレクトジャック９のＡポジションに対応する位置まで押し上げて、セレクトジャック９もＡポジションまで押し上げることができる。
本実施形態では、図６に示すような出没式のセレクトジャック下げカム２６の機能を、第１および第２の選針アクチュエータ５０間に配置するニードルガイドカム４５の固定式の突出部４５ａと、上げ用セレクタガイドカム４８の２つの上げ部４８ａ，４８ｂで実現することができ、選針部に必要な幅Ｗ２を減少させることができる。また、図６に示す出没式のセレクトジャック下げカム２６のような可動部分を廃止することができるので、コスト低減や動作の安定性の向上を図ることができる。
図３Ａは、図１の右側のカムシステム４０について、先行するキャリッジ左行時の遷移状態を示し、図３Ｂはキャリッジ右行時の選針での位置の遷移状態を示す。図３Ｂに示すように、キャリッジが右行する場合に先行側となるカムシステム４０では、右側の選針アクチュエータ５０が第２の選針アクチュエータとして機能し、右側のセレクタレイジングカム４９が突出して、選針状態のセレクタ１１をセレクトジャック９のＡポジションに対応する位置まで押し上げる。図３Ａに示すように、キャリッジの右行に先行する走行方向の反転前の左行時に、この右側のセレクタレイジングカム４９は没状態となり、選針アクチュエータ５０が第１の選針アクチュエータとしても機能する。
なお、図５に示すような針溝１５内の構成では、先行する左行時に、選択状態で浮いているセレクトジャック９をニードルガイドカム４５の突出部４５ａでＢポジションに押し下げた状態でキャリッジから抜けると、たとえば編成動作を中断してメンテナンス作業などを行う際に、セレクタ１１が針溝１５内に沈められてしまうおそれがある。そこで、上げ用セレクタガイドカム４８に上げ部４８ｃが設けられ、選針状態のセレクタ１１をセレクトジャック９のＨポジションに対応する位置に押し上げてからキャリッジを抜けるようにしている。
このように、キャリッジに搭載される編成用カムシステム４０の端部の選針アクチュエータ５０を、その端部が後行側となる際には第１の選針アクチュエータとして機能させ、キャリッジの走行方向が反転されてその端部が先行側となる際には第２の選針アクチュエータとして機能させるので、キャリッジの端部に必要な幅も減少させることができる。
図６に示すカムシステム２０では、セレクトジャック下げカム２６の先端間を含む幅Ｗ１の範囲には、固定プレッサ３３を配置することができない。各カムシステム２０でステッチカム２４を配置可能な範囲は、固定プレッサ３３の両端間に対応する。キャリッジの幅方向の寸法に制限があり、カムシステム２０間の配置ピッチＰも一定であると、セレクトジャック下げカム２６が配置される幅Ｗ１がカムシステム２０間の配置ピッチＰ内で大きくなれば、ステッチカム２４の間隔が狭くなってしまう。ステッチカム２４の間隔が狭くなると、編針１のフック３を歯口１８に進出させて編糸の給糸を受ける位置が安定しにくくなってしまう。ステッチカム２４の間隔を広くすると、カムシステム２０の配置ピッチＰを大きくする必要が生じ、キャリッジの幅方向の寸法が大きくなり、小型化が困難となる。また、キャリッジの幅方向の寸法が大きくなると、同じ編幅の編地を編成する場合でも、編幅とキャリッジの幅とを合わせた距離以上の走行が必要となり、生産性も低下する。
特に、固定プレッサ５３の幅を広くすると、ステッチカム２４の範囲を、固定プレッサ５３の範囲内に収めることが容易となり、Ｂポジションの選択時に、固定プレッサ５３によるセレクトジャック９の選択用バット１０への押圧を続け、ミスの選針を行った編針１のニードルジャック５の編成動作用バット７がステッチカム４４に全くかからないようにして通過させることができる。
また、ステッチカム４４の間隔を図６のステッチカム２４と同等とすれば、選針部分に要する幅Ｗ１から幅Ｗ２への減少分を、カムシステム４０間の配置ピッチＰに反映させて、カムシステム４０間の間隔を狭め、キャリッジの小型化を図ることもできる。
以上の説明では、カムシステム４０をキャリッジに２基搭載しているけれども、１基または３基以上搭載することもできる。また、選針アクチュエータ５０では、隣接する８本の編針から１本の編針を選択可能であるけれども、選択可能な編針の本数は、編針の配列ピッチなどに応じて変更することもできる。さらに、編針としては、べら針ばかりではなく、複合針などを使用することもできる。
【産業上の利用可能性】
【０００６】
横編機の選針装置で、出没式のセレクトジャック下げカムのような可動部分を廃止することができる。
【図１】
2007074944.tif 000003
【図２Ａ】
2007074944.tif 000004
【図２Ｂ】
2007074944.tif 000005
【図３Ａ】
2007074944.tif 000006
【図３Ｂ】
2007074944.tif 000007
【図４】
2007074944.tif 000008
【図５】
2007074944.tif 000009
【図６】
2007074944.tif 000010
【図７Ａ】
2007074944.tif 000011
【図７Ｂ】
2007074944.tif 000012
【国際調査報告】
2007074944.tif 000013
2007074944.tif 000014